(57)【要約】【課題】遊技球と外レールとの接触が適度に行なわれ、遊技球の発射の安定性を向上させることができるパチンコ遊技機を提供する。【解決手段】このパチンコ遊技機の発射装置１０は、ロータリソレノイド１４の回動軸１４ａに発射杆１５が固定され、発射杆１５を回動させて発射杆１５の先端の打球部１６を、発射レール１３の下端部に保持された遊技球に打ち当て、遊技球を遊技領域に向けて発射する。発射装置１０は、パチンコ遊技機の遊技盤２の下側の略中央位置に配設され、ロータリソレノイド１４は、正面視で時計方向に回動軸１４ａを駆動可能に装着される。発射杆１５による遊技球の水平軸に対する発射角度α２が発射レール１３の水平軸に対する傾斜角度α１より僅かに大きく設定される。【選択図】図１
2006141450.tif 000002
【特許請求の範囲】
【請求項１】
遊技球を発射する発射装置の発射杆が電動アクチュエータの回動軸に固定され、該電動アクチュエータにより該発射杆を回動させて該発射杆の先端の打球部を、発射レールの下端部に保持された遊技球に打ち当て、該遊技球を遊技領域に向けて発射するパチンコ遊技機において、
該発射装置が遊技盤の下側の略中央位置に配設され、該発射杆を駆動する電動アクチュエータが該発射装置の正面視で該回動軸を時計方向に駆動可能に装着され、該発射杆による遊技球の水平軸に対する発射角度が、該発射レールの水平軸に対する傾斜角度より僅かに大きく設定されていることを特徴とするパチンコ遊技機。
【請求項２】
前記電動アクチュエータとしてロータリソレノイドが使用され、該ロータリソレノイドの回動軸に前記発射杆が固定され、該発射杆の先端の打球部を正面視で略６時位置から略８時位置に向けて回動させ、該打球部により遊技球を打撃して発射させることを特徴とする請求項１記載のパチンコ遊技機。
【請求項３】
前記発射レールは、コ字状に曲折した金属板の接触面を略Ｖ字型に曲折して形成され、該発射レールの長さが遊技球の直径の略２倍の長さに形成されたことを特徴とする請求項１または２記載のパチンコ遊技機。
【発明の詳細な説明】
【技術分野】
【０００１】
本発明は、パチンコ遊技機に関し、特に遊技球の発射の安定性を向上させるようにした発射装置を有するパチンコ遊技機に関する。
【背景技術】
【０００２】
従来のパチンコ遊技機の球発射装置は、一般に、長尺の発射レールが遊技盤の外レールの下端部の導入口に向けて傾斜して配設され、ロータリソレノイドの回動軸にレバー状の発射杆が軸着され、発射レールの下端部に遊技球が保持された状態で、発射杆が遊技機の正面視で略４時の位置から略１時位置まで反時計方向に回動するように構成される。そして、この発射杆の略４時から略１時位置までの反時計方向の回動によって、発射杆の先端に取り付けた弾発槌が遊技球を打撃し、弾発された遊技球が発射レール上を摺動或は転動して、遊技領域に向けて遊技球が発射される。
【０００３】
しかしながら、この種の球発射装置は、発射杆の弾発槌が略４時から略１時位置まで反時計方向に回動して遊技球が発射されるため、発射杆先端の弾発槌が、斜め上方に向けて回動して弾発するものの、円弧を描いて回動するため、弾発された遊技球は、発射レールの傾斜角度より小さい角度で発射されやすい。このため、発射杆の弾発槌に弾発されて発射される遊技球は、斜め上方に向けて配設された長尺の発射レール上に過度に接触しやすく、発射レールと遊技球の角の接触によっては、遊技球の発射方向及び飛距離にばらつきが生じやすいという課題があった。
【０００４】
一方、下記特許文献１などにおいて、遊技盤の外レールと内レール間の導入口の略真下に、略真上を向けてプランジャソレノイドを配設したパチンコ遊技機の球発射装置が提案されている。この略真上に向けて遊技球を発射するタイプの球発射装置は、プランジャソレノイドのプランジャの先端に打球部が取り付けられ、プランジャソレノイドが略真上を向けて外レールと内レール間の導入口の略真下位置、つまり遊技盤の正面視で左下側に取り付けられる。そして、この球発射装置は、その作動時、プランジャが押し出し動作し、発射台上に保持された遊技球を打球部により上向きに打ち上げるように発射し、遊技球を外レールの下端部の導入口から遊技領域に発射する。
【特許文献１】特開平１１−９７７５号公報
【発明の開示】
【発明が解決しようとする課題】
【０００５】
しかし、この従来の球発射装置は、遊技盤の外レールと内レール間の導入口の略真下、つまり遊技盤の正面視で左下側に略真上を向けて設置され、遊技球がプランジャソレノイドの打球部の打ち出しにより、略真上に発射される。このため、遊技球は発射レールなどに対して非接触で発射され、外レールと内レールの間の導入口から遊技領域内に遊技球を発射できるものの、遊技球と外レールとの接触の程度が過少となって、上記とは逆の意味で、発射された遊技球の発射方向及び飛距離が不安定となり、遊技球の勢いにばらつきが生じやすいという課題があった。
【０００６】
本発明は、上述の課題を解決するものであり、遊技球と外レールとの接触が適度に行なわれ、遊技球の発射の安定性を向上させることができるパチンコ遊技機を提供することを目的とする。
【課題を解決するための手段】
【０００７】
上記の目的を達成するために、本発明のパチンコ遊技機は、遊技球を発射する発射装置の発射杆が電動アクチュエータの回動軸に固定され、該電動アクチュエータにより該発射杆を回動させて該発射杆の先端の打球部を、発射レールの下端部に保持された遊技球に打ち当て、該遊技球を遊技領域に向けて発射するパチンコ遊技機において、該発射装置が遊技盤の下側の略中央位置に配設され、該発射杆を駆動する電動アクチュエータが該発射装置の正面視で該回動軸を時計方向に駆動可能に装着され、該発射杆による遊技球の水平軸に対する発射角度が、該発射レールの水平軸に対する傾斜角度より僅かに大きく設定されていることを特徴とする。
【０００８】
ここで、上記発射装置の電動アクチュエータとしてロータリソレノイドを使用し、ロータリソレノイドの回動軸に発射杆を固定し、発射杆の先端の打球部を正面視で略６時位置から略８時位置に向けて回動させ、打球部により遊技球を打撃して発射させることができる。
【０００９】
また、上記発射レールは、コ字状に曲折した金属板の接触面を略Ｖ字型に曲折して形成され、発射レールの長さを遊技球の直径の略２倍の長さに形成することができる。
【発明の効果】
【００１０】
上記構成のパチンコ遊技機では、遊技球が球送り機構により発射装置に送られ、発射レールの下端部の球保持部の遊技球が保持された状態で、発射ハンドルを操作すると、電動アクチュエータが駆動されて回動軸及び発射杆が回動し、発射杆の打球部が正面視で例えば略６時位置から略８時位置に向けて時計方向に回動する。これにより、打球部が発射レールの傾斜角度より僅かに大きい発射角度で遊技球を打撃し、これによって遊技球が発射レール上から発射される。
【００１１】
このとき、発射装置が遊技盤の下側の略中央位置し、発射杆の打球部が正面視で時計方向に回動し、しかも、発射レールの傾斜角度より僅かに大きく傾斜した発射角度で遊技球が発射されるため、従来の略真上に向けて遊技球を発射する球発射装置に比べ、球の発射方向及び飛距離が安定し、一定した勢いで遊技球を遊技盤の遊技領域内に発射することができる。つまり、発射装置の発射杆が遊技機の略中央に位置し、正面視で時計方向に打球部を回動させて、遊技球を外レールと内レールの間の導入口に向けて斜めに発射するため、発射された遊技球が外レールに適度に接触し、一定した勢いで遊技球を遊技領域内に発射することができ、遊技球の発射の安定性を向上させることができる。
【発明を実施するための最良の形態】
【００１２】
以下、本発明の一実施形態を図面に基づいて説明する。図１はパチンコ遊技機における前面枠１の正面図を示している。前面枠１の中央部には、遊技盤２が着脱可能に取り付けられ、遊技盤２上には中央の遊技領域を囲うように外レール３と内レール４が配設されている。なお、図面上では、遊技盤２上に打設される障害釘、各種役物、表示装置、入賞口などは省略されている。
【００１３】
遊技盤２の正面視において、左下側の外レール３の下端部と内レール４の間に、発射された遊技球を導入するための導入口５が形成されている。この導入口５は左端部から遊技盤２の下側の中央部、つまり斜め下方の中央部に向けて開口して形成され、発射装置１０がその遊技盤２の下側の略中央位置に設置される。
【００１４】
図１に示すように、遊技盤２の縦方向の中央線Ｏは、遊技盤２の下部に設けた遊技球の排出口６の中央を通るように位置しているが、その中央線Ｏにほぼ中央位置を合わせるように、遊技球の発射装置１０が取り付けられている。ここで、発射装置１０は、その中央位置が遊技盤２の中央線Ｏの位置より多少ずれて設置されてもよく、例えば、発射装置１０の発射杆１５の先端の打球部１６の打球位置と待機位置との間に、遊技盤２の中央線Ｏが位置する範囲で、その位置をずらすことも可能である。
【００１５】
発射装置１０は、図２、図３、図４に示すように、金属板などにより矩形に形成されたベース板１１上に、発射口部材１２、ロータリソレノイド１４、第１・第２ストッパ部１７，１８などを取り付けて構成される。ベース板１１の中央より右寄りに孔が穿設され、その孔から回動軸１４ａを突き出すように、ロータリソレノイド１４がベース板１１の裏面に固定ねじなどで固定される。
【００１６】
ベース板１１上には、合成樹脂製の発射口部材１２が固定ねじなどにより固定されている。発射口部材１２は、その略中央に発射通路１２ａが斜め上方に傾斜して形成され、その発射通路１２ａに向かって左側の側壁部に発射レール１３が配設されている。発射口部材１２の発射通路１２ａは、図１に示すように、外レール３の下端部と内レール４間に斜め下方に傾斜して設けられた導入口５に向けて、傾斜して形成される。また、発射通路１２ａ内の下端部には、側壁をせりだして通路を狭搾するように、球保持部１２ｂが形成され、図示しない球送り機構から送られた１個の遊技球がこの球保持部１２に保持される。
【００１７】
発射通路１２ａの下側の側壁部を形成する発射レール１３は、コ字状に曲折した金属板の接触面を略Ｖ字型に曲折して形成され、発射レール１３の長さは遊技球の直径の略２倍の長さに形成されている。また、この発射レール１３の水平軸に対する傾斜角度α１は、図５に示すように、例えば５０°に設定され、この傾斜角度α１は、後述の発射杆１５による遊技球の発射角度α２（例えば５２°）より僅かに小さく設定されている。
【００１８】
発射杆１５は、図２、図３に示すように、略Ｌ字型に形成され、そのＬ字形本体の角部に取付孔が穿設され、その孔にロータリソレノイド１４の回動軸１４ａの先端が嵌入され、固定ナット１４ｂにより締め付け固定されている。発射杆１５の先端部の左側（正面視で）の端面に、遊技球を打撃するための打球部１６が設けられる。この打球部１６は、ばね状弾性を有し弾性変形可能な合成樹脂によって形成され、例えば、金属製のインサートの周囲に合成樹脂を被覆するようにインサート成形することによって、その合成樹脂被覆層と一体に打球部１６が成形されている。合成樹脂材料としては、高い圧縮弾性率を有する熱可塑性エラストマーの一種であるポリエステルエラストマーを使用することができる。
【００１９】
また、発射杆１５の打球部１６は、図５に示すように、発射杆１５が正面視で略６時位置から略８時位置に向けて時計方向に回動したとき、球保持部１２ｂの遊技球を打撃して、これを所定の発射方向（発射角度α２の方向）に発射させるように形成されている。さらに、発射杆１５の反打球部側の片部には、回動範囲を制限するための回動範囲制限部１５ａが、第１ストッパ部１７、第２ストッパ部１８に当接可能に設けられている。
【００２０】
第１ストッパ部１７は、発射杆１５が発射側に回動されて打球を行なった際、回動範囲制限部１５ａが当接する位置のベース板１１上に固定される。また、第２ストッパ部１８は、発射杆１５が打球動作後に待機位置に戻った際、回動範囲制限部１５ａが当接する位置のベース板１１上に固定される。第１ストッパ部１７及び第２ストッパ部１８における、発射杆１５の回動範囲制限部１５ａが当接する部分には、発射杆１５の打球部１６と同様のばね弾性を有した弾性変形合成樹脂が取り付けられ、ストッパ部に発射杆１５が当った際の衝撃を緩衝させるようにしている。
【００２１】
なお、発射杆１５は、ロータリソレノイド１４の回転駆動により発射方向（図５に時計方向）に駆動され、発射後は、その自重と発射口部材１２に設けた永久磁石１９の磁力により、図５の反時計方向に回動して待機位置に戻るように構成されている。また、図４に示すように、発射装置１０の前面には、その発射杆１５などを覆うように、透明カバー１０ａが取り付けられる。
【００２２】
このように構成された発射装置１０は、図１に示すように、遊技機の前面枠１内における遊技盤２の下側中央位置に取り付けられるが、その発射杆１５の回動による遊技球の発射角度α２は、図５に示す如く、発射レール１３の水平軸に対する傾斜角度α１より少し大きく設定される。すなわち、発射レール１３の水平軸に対する傾斜角度α１が例えば５０°に設定される場合、発射杆１５による遊技球の発射角度α２は、例えば５２°に設定される。
【００２３】
ロータリソレノイド１４は、図示しない発射制御回路に接続される。発射制御回路は、遊技者の図示しない発射レバーへの接触を検出すると共に、発射レバーの回動時の回転量（回転角）を検出し、球送り機構（図示を省略）を動作させて、受け皿より送られた遊技球を１個づつ発射装置１０の球保持部１２ｂに送ると共に、ロータリソレノイド１４を発射レバーの回転角に応じたトルクで回転駆動し、遊技球の発射動作を制御するように構成されている。
【００２４】
遊技者が発射レバーを操作すると、図示しない球送り機構が動作して遊技球を１個づつ発射装置１０の球保持部１２ｂに送ると共に、ロータリソレノイド１４が駆動して発射杆１５が図２の待機位置から図５の発射位置に向けて回転駆動される。このとき、発射杆１５の回動により、その先端の打球部１６が球保持部１２ｂの遊技球を打撃し、遊技球は発射通路１２ａを通り外レール３の下端部の導入口５に向けて発射される。またこのとき、遊技球は、発射レール１３の傾斜角度α１より僅かに大きく傾斜した発射角度α２で発射され、これによって、発射された遊技球は、外レール３の内側に適度に接触してその内周面を摺動或は転動し、遊技領域内に打ち出される。このような動作がロータリソレノイド１４による発射杆１５の回動ごとに行なわれ、球保持部１２ｂに保持された遊技球が発射されるが、発射角度α２で発射された遊技球は外レール３の内側に適度に接触して遊技領域内に打ち出されるため、一定の発射方向と飛距離で、安定した遊技球の発射を行なうことができる。
【００２５】
すなわち、発射装置１０が遊技盤２の下側の略中央位置して、発射杆１５の打球部１６が正面視で時計方向に回動して遊技球を斜め左方向に発射し、しかも、発射レール１３の傾斜角度α１より僅かに大きく傾斜した発射角度α２で、遊技球が発射され、発射された遊技球が外レール３の内周面に適度に接触して送られるため、従来の略真上に向けて遊技球を発射する球発射装置に比べ、球の発射方向及び飛距離が安定し、一定した勢いで遊技球を遊技盤２の遊技領域内に発射することができ、遊技球の発射の安定性を向上させることができる。
【００２６】
なお、上記実施形態では、電動アクチュエータとしてロータリソレノイド１４を使用したが、モータを使用することもでき、発射杆１５の打球部１６には、弾性合成樹脂に代えて、コイルばねを使用した弾発部を設けることもできる。
【図面の簡単な説明】
【００２７】
【図１】本発明の一実施形態を示すパチンコ遊技機の前面枠の正面図である。
【図２】発射装置１０の正面図である。
【図３】発射装置１０の分解斜視図である。
【図４】発射装置１０の右側面図である。
【図５】発射動作時の発射装置１０の正面図である。
【符号の説明】
【００２８】
１−前面枠
２−遊技盤
３−外レール
４−内レール
５−導入口
１０−発射装置
１２ｂ−球保持部
１３−発射レール
１４−ロータリソレノイド
１５−発射杆
１６−打球部
【図１】
2006141450.tif 000003
【図２】
2006141450.tif 000004
【図３】
2006141450.tif 000005
【図４】
2006141450.tif 000006
【図５】
2006141450.tif 000007